(57)【要約】【課題】  静電気の影響を抑えることが可能な電子装置カバー及びディスプレイ装置を提供することを主たる目的とする。【解決手段】  表面に電子部品１２２が設けられた回路基板１１９を収納する筐体の少なくとも一部を構成するバックカバー１１２ｂであって、一方の面から他方の面に貫通した貫通穴１２０が設けられている。このバックカバー１１２ｂでは、当該貫通穴１２０を挟んで互いに向き合う部材のそれぞれの端部（１２１，１２１）が、厚み方向から見た場合に重畳するように貫通穴１２０が設けられている。【選択図】      図４
2010028719.tif 000002
【特許請求の範囲】
【請求項１】
背面カバーを有する電子装置カバーと、
前記電子装置カバーに収納された映像表示部と、
前記電子装置カバーに収納されて、前記背面カバーと前記映像表示部との間に配置された、少なくとも映像を表示するための信号処理を行う電子部品が設けられた回路基板とを備え、
前記背面カバーは、外表面から内表面に貫通した貫通穴が設けられ、且つ前記貫通穴を挟んで互いに向き合う部材のそれぞれの端部が、前記背面カバーの厚み方向から見た場合に重畳するように前記貫通穴が設けられていることを特徴とするディスプレイ装置。
【請求項２】
前記貫通穴は前記厚み方向に対して傾斜して設けられ、前記傾斜の角度が異なる複数の貫通穴を備えることを特徴とする請求項１に記載のディスプレイ装置。
【請求項３】
前記貫通穴の方向が、前記背面カバーの水平方向または垂直方向の中心線を境に異なることを特徴とする請求項１に記載のディスプレイ装置。
【請求項４】
表面に電子部品が設けられた回路基板を収納する筐体の少なくとも一部を構成する電子装置カバーであって、
一方の面から他方の面に貫通した貫通穴が設けられ、且つ前記貫通穴を挟んで互いに向き合う部材のそれぞれの端部が、厚み方向から見た場合に重畳するように前記貫通穴が設けられていることを特徴とする電子装置カバー。
【請求項５】
前記貫通穴は前記厚み方向に対して傾斜して設けられ、前記傾斜の角度が異なる複数の貫通穴を備えることを特徴とする請求項４に記載の電子装置カバー。
【請求項６】
前記貫通穴の方向が、水平方向または垂直方向の中心線を境に異なることを特徴とする請求項４に記載の電子装置カバー。
【発明の詳細な説明】
【技術分野】
【０００１】
この発明は、テレビジョン放送受信装置等の電子装置で使用される電子装置カバー及びディスプレイ装置に関する。
【背景技術】
【０００２】
近年、テレビ受像機等のディスプレイ装置として、液晶ディスプレイやプラズマディスプレイ、ＥＬ（Electro-Luminescence）ディスプレイ等のフラット型のディスプレイパネル（以下、表示パネルと称する）を用いたものが普及している。このような表示パネルを用いたディプレイ装置は、奥行きを薄くできるためにＣＲＴ（Cathode Ray Tube）型のディスプレイ装置に替わって広く普及され、携帯テレビや壁面に設置できる壁掛け型テレビとして実用化されている。
【０００３】
例えば、特許文献１には、薄型の表示パネルを備えたディスプレイ装置が開示されている。このようなディスプレイ装置は、主として薄型の筐体と、この筐体を起立させて支持する支持台とから構成されている。筐体は、平面表示パネルに対応する位置に開口部（ディスプレイ窓）が形成されたフロントカバーと、フロントカバーの背面側に組み合わせされるバックカバーとにより構成され、表示パネルやスピーカーユニットを含めて様々な電子部品が当該筐体内に収納されている。
【０００４】
ここで、バックカバーには、動作時に発生する熱を外部に逃がすための放熱用のスリットが設けられることが通常である。
【特許文献１】特開２００７−３３４２４４号公報
【発明の開示】
【発明が解決しようとする課題】
【０００５】
上述した例であれば、バックカバーに設けられたスリットによって空気の出入りがし易いために、スリットを有しないカバーに比べると放熱特性は向上する。しかしながら、当該スリットを介して内部の電子部品に静電気が飛び易くなり、その結果として誤動作や電子部品の故障などの問題（いわゆる静電破壊）が引き起こされる懸念があった。特に、近年は装置の薄型化の要望が強いこともあり、バックカバーと内部の電子部品との間の空間距離を十分に確保出来なくなった場合には、上記静電気の問題を未然に回避することが極めて重要である。
【０００６】
なお、静電気の問題を回避するためには、（１）バックカバーと内部の電子部品との間の空間距離を長く確保する、（２）スリットを塞いでしまう、といった方法が考えられる。しかし、（１）の方法では装置の薄型化を達成することが困難になる問題が生じ、（２）の方法では放熱効率が劣化してしまう問題がある。
【０００７】
そこで本発明は、放熱特性を確保しつつ、静電気の影響を抑えることが可能な電子装置カバー及びディスプレイ装置を提供することを主たる目的とする。
【課題を解決するための手段】
【０００８】
本発明は上記課題に鑑みてなされたものであり、その主な特徴は以下のとおりでる。すなわち、本発明のディスプレイ装置は、背面カバーを有する電子装置カバーと、前記電子装置カバーに収納された映像表示部と、前記電子装置カバーに収納されて、前記背面カバーと前記映像表示部との間に配置された、少なくとも映像を表示するための信号処理を行う電子部品が設けられた回路基板とを備え、前記背面カバーは、外表面から内表面に貫通した貫通穴が設けられ、且つ前記貫通穴を挟んで互いに向き合う部材のそれぞれの端部が、厚み方向から見た場合に重畳するように前記貫通穴が設けられていることを特徴とする。
【０００９】
また、本発明の電子装置カバーは、表面に電子部品が設けられた回路基板を収納する筐体の少なくとも一部を構成する電子装置カバーであって、一方の面から他方の面に貫通した貫通穴が設けられ、且つ前記貫通穴を挟んで互いに向き合う部材のそれぞれの端部が、厚み方向から見た場合に重畳するように前記貫通穴が設けられていることを特徴とする。
【発明の効果】
【００１０】
本発明では、電子装置カバーの一方の面から他方の面に貫通した貫通穴が設けられ、且つ前記貫通穴を挟んで互いに向き合う部材のそれぞれの端部が、電子装置カバー部材の厚み方向から見た場合に重畳するように前記貫通穴が設けられている。従って、電子装置カバーと内部の電子部品との間の空間距離を従来に比して長く取れるので、放熱特性を確保しつつ、装置の薄型化を図ったとしても静電気の影響を抑えること出来る。
【発明を実施するための最良の形態】
【００１１】
以下、この発明の最良の実施形態について、図面を参照しながら説明する。図１は、以下の実施形態で説明するテレビジョン放送受信装置１１１の外観の一例を概略的に示している。
【００１２】
すなわち、テレビジョン放送受信装置１１１は、主として、薄型の筐体１１２と、この筐体１１２を起立させて支持する支持台１１３とから構成されている。そして、筐体１１２には、例えば液晶表示パネルやバックライト等を備えた平面パネル型ディスプレイである映像表示器１１４、一対のスピーカ１１５、操作部１１６、リモートコントローラ１１７から送信される操作情報を受けるリモコン受光部１１８等が設置されている。
【００１３】
図２は、第１の実施形態に係るテレビジョン放送受信装置１１１の筐体内部構造を示す斜視図である。図２に示すように、テレビジョン放送受信装置１１１は、正面側からフロントカバー１１２ａ、映像表示器１１４、回路基板１１９、バックカバー１１２ｂの順で重ねられて構成されている。
【００１４】
フロントカバー１１２ａは、映像表示器１１４を前面に露出させるために開口されたディスプレイ窓１１２ｃを有する。映像表示器１１４とバックカバー１１２ｂとの間に回路基板１１９が配置されている。回路基板１１９は、映像処理や音声処理に関わる様々な電子部品が実装された基板であり、そのバックカバー１１２ｂと対向する側の面には、映像表示器１１４の駆動回路や、受信した放送信号に所定の信号処理を施して映像信号と音声信号を生成する信号処理回路、マイクロプロセッサによる制御回路や、データ又はプログラムが格納されたメモリや、キャパシタ、抵抗、配線等の多数の電子部品が実装されている。
【００１５】
図３は、第１の実施形態に係るテレビジョン放送受信装置１１１の背面を概略的に示している。図３に示すように、バックカバー１１２ｂには、当該バックカバーの外表面から内表面（回路基板１１９側の面）にかけて貫通する略円形状の貫通穴１２０が所定間隔をおいて複数設けられている。なお、バックカバー１１２ｂの厚さは例えば約２ｍｍであり、貫通穴１２０の開口径は例えば１．５ｍｍ程度である。
【００１６】
図４（ａ）は図３のテレビジョン放送受信装置１１１の上側（バックカバー１１２ｂの水平方向と平行な中心線よりも上側）に設けられた貫通穴１２０と、回路基板１１９と回路基板上１１９に設けられた電子部品１２２との関係の概略を示す断面図であり、図４（ｂ）は図３のテレビジョン放送受信装置１１１の下側（バックカバー１１２ｂの水平方向と平行な中心線よりも下側）に設けられた貫通穴１２０と、回路基板１１９と回路基板上１１９に設けられた電子部品１２２との関係の概略を示す断面図である。なお、図４（ａ）（ｂ）は、テレビジョン放送受信装置１１１をＡ方向から見た断面図である。図４（ａ）（ｂ）に示すように、貫通穴１２０はバックカバー１１２ｂ（更に言えばバックカバー１１２ｂの枠部材）の厚み方向に対して傾斜しており、貫通穴１２０を挟んで互いに向き合う部材の端部１２１，１２１が、バックカバー１１２ｂの厚み方向から見た場合に重畳するように貫通穴１２０が設けられている。従って、バックカバー１１２ｂの厚み方向（テレビジョン放送受信装置１１１の背面）からユーザが貫通穴１２０を見た場合には、内側の端部１２１が壁となるために筐体１１２内部の回路基板１１９が視認出来ない構成になっている。
【００１７】
そして、筐体１１２の内部には回路基板１１９が配置され、回路基板１１９のバックカバー１１２ｂ側の面上には、映像表示器１１４の駆動回路や信号処理回路、キャパシタや抵抗等の電子部品１２２が複数設けられている。
【００１８】
貫通穴１２０の傾斜角は、内側の端部１２１によって筐体１１２内部が視認出来ない構成であれば任意であるが、バックカバー１１２ｂの上方寄り（テレビジョン放送受信装置の上側）に形成される貫通穴１２０の傾斜角は、図４（ａ）に示すように、外表面側から見てバックカバー１１２ｂの上方から下方に向けて傾斜するようにし、バックカバー１１２ｂの下方寄り（テレビジョン放送受信装置の下側）に形成される貫通穴１２０の傾斜角は図４（ｂ）に示すように、バックカバー１１２ｂの下方から上方に向けて傾斜するように構成することが好ましい。筐体１１２内部において、回路基板１１９上では様々な電子部品１２２が動作しているため、この動作時に生じる熱の対流を考慮すると、図４（ａ）（ｂ）に示したような構成の方が図４（ｂ）で外部から流入した新鮮な冷気が筐体１１２内部で暖められて図４（ａ）から排出されるので空気の流れと傾斜の方向が一致し、一方向にのみ傾斜した貫通穴を設けた構成よりも放熱特性が向上するからである。
【００１９】
このように、第１の実施形態に係るテレビジョン放送受信装置１１１では、バックカバー１１２ｂの外表面から内表面に貫通した貫通穴１２０が複数設けられ、且つ貫通穴１２０を挟んで互いに向き合う部材のそれぞれの端部（１２１，１２１）が、バックカバー１１２ｂの厚み方向から見た場合に重畳する構成になっている。
【００２０】
このため、バックカバー１１２ｂの貫通穴１２０の近傍で、例えば人間が指を近付けること等によって静電気が生じたとしても、バックカバー１１２ｂ外部と内部の電子部品１２２との間の空間距離が従来に比して長く取られているので、静電気の影響を抑えることが出来る。すなわち、図５に示すように、バックカバー１１２ｂの厚み方向と同方向にストレートな貫通穴１５０を設けた場合には、バックカバー１１２ｂ外部と内部の電子部品１２２との間の空間距離を長く確保することが出来ず、当該貫通穴１５０を介して電子部品１２２に静電気が図５の矢印方向に飛び易く、その結果として電子部品１２２の誤動作や故障などの問題が引き起こされる懸念がある。これに対して、本実施形態では、上記のとおり貫通穴１２０を傾斜させて、且つ貫通穴１２０を挟んで互いに向き合う部材のそれぞれの端部（１２１，１２１）が、バックカバー１１２ｂの厚み方向から見た場合に重畳する構成になっているため、バックカバー１１２ｂ外部と内部の電子部品１２２との間の空間距離を図５の構成に比して長く取れ、そのため装置の薄型化を図ったとしても静電気の影響を抑えること出来る。また、貫通穴１２０を介して筐体内部で生じる熱を外部に逃がすことが出来るため、放熱特性も確保している。
【００２１】
また、静電気の影響が低減できるため、回路基板１１９上での電子部品１２２の配置を特に気にせずに貫通穴１２０の配置位置を決定することも可能である。つまり、静電気の影響があるとすると、従来構成では貫通穴の配置位置の工夫（例えば、静電気の影響を受け易い部品の領域には貫通穴を設けないようにする等）が必要となるが、このような手間が低減するため、バックカバーの設計効率が向上する。
【００２２】
また、図４（ａ）（ｂ）に示したように、バックカバー１１２の中心線を境にして対称となるように貫通穴１２０の傾斜の方向を設け、つまりは貫通穴１２０の形成位置に応じて傾斜方向を変えているため、一方向にのみ傾斜した貫通穴を設けた構成よりも、熱の対流が良くなり、放熱特性が向上する。
【００２３】
次に本発明の第２の実施形態に係るテレビジョン放送受信装置２００を説明する。図６は、テレビジョン放送受信装置２００の背面を概略的に示している。なお、第１の実施形態に係るテレビジョン放送受信装置１１１と同様の構成についてはその説明を省略するか簡略する。
【００２４】
図６に示すように、筐体１１２のバックカバー２０１には、当該バックカバー２０１の外表面から内表面にかけて貫通する略長方形状の貫通穴２０２が所定間隔をおいて複数設けられている。図６の断面図は、図４（ａ），（ｂ）と同様である。すなわち、貫通穴２０２は、バックカバー２０１の厚み方向に対して傾斜しており、貫通穴２０２を挟んで互いに向き合う部材の端部が、バックカバー２０１の厚み方向から見た場合に重畳するように貫通穴２０２が設けられている。従って、バックカバー２０１の厚み方向から貫通穴２０２を見た場合には、内側の上記端部が壁となるために筐体１１２内部が視認出来ない構成になっている。また、バックカバー２０１の上方寄りに形成される貫通穴２０２の傾斜角は、図４（ａ）に示す貫通穴１２０と同様に、外表面側から見てバックカバー２０１の上方から下方に向けて傾斜するようにし、バックカバー２０１の下方寄りに形成される貫通穴２０２の傾斜角は図４（ｂ）に示す貫通穴１２０と同様に、バックカバー２０１の下方から上方に向けて傾斜するように構成することが放熱特性を向上させる観点から好ましい。
【００２５】
このように、バックカバーの外部から見た貫通穴の形状を略長方形状にしてもよい。第２の実施形態に係るテレビジョン放送受信装置２００においても、バックカバー２０１の外表面から内表面に貫通した貫通穴２０２が複数設けられ、且つ貫通穴２０２を挟んで互いに向き合う部材のそれぞれの端部が、図４で示したのと同様にバックカバー２０１の厚み方向から見た場合に重畳している。このため、バックカバー２０１外部と内部の電子部品との間の空間距離を長く取れるので、静電気の影響を抑えることが出来る。また、貫通穴２０２を介して筐体内部で生じる熱を外部に逃がすことが出来るため、放熱特性も確保している。
【００２６】
次に本発明の第３の実施形態に係るテレビジョン放送受信装置３００を説明する。図７は、テレビジョン放送受信装置３００の背面を概略的に示している。なお、第１及び第２の実施形態に係るテレビジョン放送受信装置と同様の構成についてはその説明を省略するか簡略する。
【００２７】
図７に示すように、本実施形態に係るテレビジョン放送受信装置３００では、バックカバー３０１に略長方形状の貫通穴３０２が、貫通穴３０２の長辺が垂直方向となるように配置されて設けられている。このように貫通穴３０２を配置しても、上記実施形態と同様の効果を得ることができる。
【００２８】
ただし、バックカバー３０１の厚みが薄いと、第１及び第２の実施形態と同方向に傾斜した貫通穴３０２を設けることは困難である。つまり、第１の実施形態の図４で説明したように内側の端部１２１によって筐体１１２内を視認出来なくなる程度に縦方向に傾斜を設けることは、バックカバー３０１の厚みが薄いと困難である。従って、第３の実施形態では、図７の水平方向に貫通穴３０２の傾斜を設け、垂直方向（図７のＢ方向）から貫通穴３０２の断面を見た場合に、図４で説明した断面図と同様となるように貫通穴３０２を設けることが好ましい。つまり、第１及び第２の実施形態では貫通穴の傾斜はテレビジョン放送受信装置の垂直方向に対して設けられており、第３の実施形態では９０度貫通の方向を変えて、水平方向に貫通穴の傾斜が設けられている。なお、貫通穴３０２の傾斜の向きはテレビジョン放送受信装置３００の垂直方向と平行な中心線を境に左右で逆向き（対照）となるように構成することもできる。つまり、貫通穴３０２の傾斜方向を全て同一とするのではなく、例えば図７の左側では、背面から見て外側から内側に傾斜するように貫通穴３０２を設け、図７の右側では外側から内側に傾斜するように貫通穴３０２を設けることも出来る。なお、熱の対流を考慮すると、貫通穴の方向は垂直方向に設けることが好ましいと考えられる。
【００２９】
次に、上記したバックカバーの製造方法の一例について説明する。図８は、バックカバー（１１２ａ,２０１，３０１）の製造方法の概略を示す金型構造である。図８に示すように第１の金型５０１にバックカバー成型用の材料を流し込み、第２の金型５０２ａ,５０２ｂ、及び貫通穴形成用の突起部５０４が複数設けられた第３の金型５０３を所定位置に配置する。次に、第２の金型５０２ａ，５０２ｂを図８で示す右方向に取り外す。次に、第３の金型５０３を図８で示す斜め方向に引き抜くことで、上記したように傾斜した貫通穴が成型される。続いて第１の金型５０１を取り外すことでバックカバーの成型が完了する。
【００３０】
なお、本発明は上記実施形態そのままに限定されるものではなく、実施段階ではその要旨を逸脱しない範囲で構成要素を変形して具体化できる。例えば、上記実施形態ではテレビジョン放送受信装置について説明したが、ＤＶＤレコーダーやパーソナルコンピュータ等様々な電子装置に本発明を適用することが出来る。特に、プラスチックモールドから成る電子装置カバーで覆われた機器であって、カバーの直下に電子部品が配置されるような機器に対して好ましく本発明を適用することができる。また、上記実施形態ではバックカバーの背面側に貫通穴を設けたが、側面側に同様に貫通穴を設けることも可能であるし、貫通穴の穴の形状を任意に変更することも可能である。
【００３１】
また、図９に示すように貫通穴を設けることも可能である。すなわち、図９では、バックカバー６００の貫通穴６０１の一部が曲げられて、バックカバー６００に山型部分と谷型部分が設けられている。かかる構成でも、貫通穴６０１はバックカバー６００の厚み方向に対して傾斜した部を有しており、貫通穴６０１を挟んで互いに向き合う部材の端部６０２、６０３が、バックカバー１１２ｂの厚み方向から見た場合に重畳するように貫通穴６０１が設けられ、静電破壊を低減できる構造となっている。また、貫通穴の方向は実施例で説明したように一方向（垂直方向や水平方向）に限定されず、配置に応じて適宜変更することが可能である。また、傾斜角を貫通穴の配置に応じて変更することも可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３２】
【図１】本実施形態に係るテレビジョン放送受信装置の外観を説明するための図である。
【図２】本実施形態に係るテレビジョン放送受信装置の内部構造を示す斜視図である。
【図３】第１の実施形態に係るテレビジョン放送受信装置の背面側の外観を示す図である。
【図４】第１の実施形態に係るテレビジョン放送受信装置のバックカバーを示す断面図である。
【図５】参考例に係るバックカバーを示す断面図である。
【図６】第２の実施形態に係るテレビジョン放送受信装置の背面側の外観を示す図である。
【図７】第３の実施形態に係るテレビジョン放送受信装置の背面側の外観を示す図である。
【図８】本実施形態に係るバックカバーの製造工程を示す断面図である。
【図９】バックカバーに設けられる貫通穴の変形例を示す断面図である。
【符号の説明】
【００３３】
１１１…テレビジョン放送受信装置、１１２…キャビネット、１１２ａ…フロントカバー、１１２ｂ…バックカバー、１１３…支持台、１１４…映像表示器、１１５…スピーカ、１１６…操作部、１１７…リモートコントローラ、１１８…受光部、１１９…回路基板、１２０…貫通穴、１２１…端部、１２２…電子部品、１５０…貫通穴、２００…テレビジョン放送受信装置、２０１…バックカバー、２０２…貫通穴、３００…テレビジョン放送受信装置、３０１…バックカバー、３０２…貫通穴、５０１…第１の金型、５０２…第２の金型、５０３…第３の金型、５０４…突起部、６００…バックカバー、６０１…貫通穴、６０２…端部、６０３…端部。
【図１】
2010028719.tif 000003
【図２】
2010028719.tif 000004
【図３】
2010028719.tif 000005
【図４】
2010028719.tif 000006
【図５】
2010028719.tif 000007
【図６】
2010028719.tif 000008
【図７】
2010028719.tif 000009
【図８】
2010028719.tif 000010
【図９】
2010028719.tif 000011